【手続補正書】
【提出日】平成18年10月20日(2006.10.20)
【手続補正１】
【補正対象書類名】明細書
【補正対象項目名】特許請求の範囲
【補正方法】変更
【補正の内容】
【特許請求の範囲】
【請求項１】  信号を生成する方法において、
（ａ）第１の時間中に第１の信号を受信し、
（ｂ）第２の時間中に第２の信号を受信し、
（ｃ）前記第１の信号から第１の変換信号を計算し、
（ｄ）前記第２の信号から第２の変換信号を計算し、
（ｅ）少なくとも前記第１の信号、第２の信号、第１の変換信号および第２の変換信号をコードと乗算し、
（ｆ）第３の時間中に前記第１の信号と前記第２の変換信号を生成し、
（ｇ）第４の時間中に前記第２信号と前記第１の変換信号を生成する、ステップを備えた方法。
【請求項２】  請求項１に記載の方法において、前記第１および第２の信号のそれぞれは少なくとも１つのシンボルを含む、方法。
【請求項３】  請求項１に記載の方法において、前記第３の時間中に前記第１の信号と第２の変換信号を生成するステップ（ｆ）と前記第４の時間中に前記第２信号と第１の変換信号を生成するステップ（ｇ）は、前記第１及び第２の信号の空間時間トランスミット・ダイバシティ・エンコーディグを含む、方法。
【請求項４】  請求項１に記載の方法において、前記第１の変換信号は、前記第１の信号の共役である、方法。
【請求項５】  請求項１に記載の方法において、前記第２の変換信号は、前記第２の信号の共役の補数である、方法。
【請求項６】  請求項１に記載の方法において、更に、前記第１の信号と第２の信号を第１の送信アンテナに加え、かつ前記第１の変換信号と第２の変換信号を第２の送信アンテナに加えるステップを有する、方法。
【請求項７】  請求項１に記載の方法において、前記コードはチャンネル直交コードを含む、方法。
【請求項８】  請求項１に記載の方法において、前記コードはスクランブル・コードを含む、方法。
【請求項９】  請求項１に記載の方法において、前記コードは１つの遠隔受信機だけに対応する、方法。
【請求項１０】  請求項１に記載の方法において、前記第１の信号と第２の信号は前記コードと乗算され、該コードは１つの遠隔受信機だけに対応する、方法。
【請求項１１】  信号を送信する方法において、
（ａ）複数のシンボルを受信し、
（ｂ）第１のシンボルの第１のグループを生成し、
（ｃ）第２のシンボルの第２のグループを生成し、
（ｄ）変換された前記第１のシンボルの第３のグループを生成し、
（ｅ）変換された前記第２のシンボルの第４のグループを生成し、
（ｆ）前記第１および第２のグループを第１の送信アンテナに加え、
（ｇ）前記第４のグループを第２の送信アンテナに加える、ステップを備えた方法。
【請求項１２】  請求項１１に記載の方法において、前記第３のグループは前記第１のグループの各それぞれのシンボルの共役の補数を含み、かつ前記第４のグループは前記第２のグループの各それぞれのシンボルの共役の負数を含む、方法。
【請求項１３】  請求項１１に記載の方法において、前記第１および第２のグループを前記第１の送信アンテナに加えるステップ（ｆ）は、コードにより前記第１および第２のグループを変調するステップを更に有し、かつ前記第３および第４のグループを前記第２の送信アンテナに加えるステップ（ｇ）は、前記第３および第４のグループをコードにより変調するステップを更に有する、方法。
【請求項１４】  請求項１１に記載の方法において、更に、前記各第１、第２、第３および第４のグループのそれぞれからの各シンボルを乗算することにより、前記第１および第２のグループを前記第１の送信アンテナに加え、かつ前記第３および第４のグループを前記第２の送信アンテナに加える、方法。
【請求項１５】  請求項１１に記載の方法において、前記第１、第２、第３および第４のグループを生成するステップ（ｂ）、（ｃ）、（ｄ）、（ｅ）は、空間時間トランスミット・ダイバシティ・エンコーディングを含む、方法。
【請求項１６】  請求項１１に記載の方法において、前記複数のシンボルは四位相偏移変調シンボルである、方法。
【請求項１７】  回路において、
第１の出力端子、第２の出力端子、第１のシンボルおよび第２のシンボルを受信するように結合されたエンコーダ回路を有し、前記エンコーダ回路が前記第１の出力端子に前記第１のシンボルを生成し、かつ前記第２の出力端子に前記第２のシンボルの共役を生成することを備え、
前記エンコーダ回路が第１の時間中に前記第１のシンボルを生成し、前記第１の時間中に前記第２のシンボルの共役を生成する、回路。
【請求項１８】  請求項１７に記載の回路において、前記エンコーダ回路が第２の時間中に前記第１のシンボルの共役の負数を生成し、かつ前記第２の時間中に前記第２のシンボルを生成する、回路。
【請求項１９】  請求項１７に記載の回路において、前記第１の出力端子が第１のアンテナに接続されるように配置され、かつ前記第２の出力端子が第２のアンテナに接続されるように配置される、回路。
【請求項２０】  請求項１７に記載の回路において、それぞれの前記第１のシンボルと第２のシンボルが、少なくともパイロット・シンボル、伝送電力制御シンボル、速度情報シンボル、およびデータ・シンボルのいずれかを含む、回路。
【請求項２１】  請求項１７に記載の回路において、前記エンコーダ回路がコードにより前記第１および第２のシンボルを符号化する、回路。
【請求項２２】  請求項８に記載の回路において、前記第１および第２のシンボルのそれぞれは四位相偏移変調シンボルである、回路。
【請求項２３】  回路において、
複数のエンコーダ回路を有し、各エンコーダ回路はそれぞれ入力信号を受信するよう結合され、かつ各エンコーダ回路は第１のシンボル、第２のシンボル、前記第１のシンボルに対応の第１の変換シンボル、および前記第２のシンボルに対応の第２の変換シンボルを含む少なくとも一つのエンコード出力信号をそれぞれ生成するように配置され、
前記第１および第２のシンボル、前記第１および第２の変換シンボルを受信するように結合された複数の送信アンテナを有する、回路。
【請求項２４】  請求項２３に記載の回路において、更に、前記複数のエンコーダ回路のそれぞれからの各エンコード出力信号を受信するように結合された多重回路を有し、該多重回路は前記第１および第２のシンボルと前記第１および第２の変換シンボルを選択的に生成する、回路。
【請求項２５】  請求項２３に記載の回路において、更に、コードと少なくとも一つの前記第１または第２のシンボルを受信するように結合された乗算回路を有し、該乗算回路は前記コードを少なくとも一つの第１または第２のシンボルと乗算するように配置された、回路。
【請求項２６】  請求項２３に記載の回路において、それぞれの前記入力信号は少なくともパイロット・シンボル、伝送電力制御シンボル、速度情報シンボル、およびデータ・シンボルのいずれか１つを含む、回路。
【請求項２７】  請求項２３に記載の回路において、前記第１および第２のシンボルは四位相偏移変調シンボルである、回路。
【請求項２８】  信号を処理する方法において、
（ａ）入力データ列を符号化してエンコード・データ列を生成し、
（ｂ）前記エンコード・データ列をインターリーブしてインターリーブデータ列を生成し、
（ｃ）前記インターリーブデータ列から複数のシンボルを生成し、
（ｄ）第１の時間中に第１のシンボルを第１のアンテナに加え、
（ｅ）前記第１の時間中に第２のシンボルを第２のアンテナに加え、
（ｆ）第２の時間中に第３のシンボルを前記第１のアンテナに加え、
（ｇ）前記第２の時間中に第４のシンボルを前記第２のアンテナに加える、ステップを備え、
前記第１から第４のシンボルのそれぞれは、他の第１から第４のシンボルとは異なり、
前記第２のシンボルは前記第３のシンボルの共役であり、
前記第４のシンボルは前記第１のシンボルの共役の負数である、方法。
【請求項２９】  請求項２８に記載の方法において、前記入力データ列はデータ・ビットの列である、方法。
【請求項３０】  請求項２９に記載の方法において、前記エンコード・データ列は畳込み符号で符号化される、方法。
【請求項３１】  請求項２９に記載の方法において、前記エンコード・データ列はターボ・コードで符号化される、方法。
【請求項３２】  請求項２９に記載の方法において、前記インターリーブ・データ列は、前記エンコード・データ列とは異なる単位を有するエンコード・データ列のデータ・ビットを含む、方法。
【請求項３３】  請求項２９に記載の方法において、前記複数のシンボルのそれぞれは四位相偏移変調シンボルである、方法。
【請求項３４】  請求項２９に記載の方法において、前記複数のシンボルのそれぞれをチャンネル直交コードにより乗算するステップを含む、方法。
【請求項３５】  信号を処理する方法において、
（ａ）入力データ列を符号化してエンコード・データ列を生成し、
（ｂ）前記符号化データ列をインターリーブしてインターリーブ・データ列を生成し、
（ｃ）前記インターリーブ・データ列から複数のシンボルを生成し、
（ｄ）第１の時間中に第１のシンボルを第１のアンテナに加え、
（ｅ）前記第１の時間中に第２のシンボルを第２のアンテナに加え、
（ｆ）第２の時間中に第３のシンボルを前記第１のアンテナに加え、
（ｇ）前記第２の時間中に第４のシンボルを前記第２のアンテナに加える、ステップを備え、
前記第１から第４のシンボルのそれぞれは他の第１から第４のシンボルとは異なり、
前記第２のシンボルは前記第３のシンボルの共役であり、
前記第１のシンボルは前記第４のシンボルの共役の負数である、方法。